(57)【要約】【課題】地上において効率よくベルトの延長作業を行うことができる、延伸ベルトコンベアのシステムを提供する。【解決手段】無端ベルトを枠体に取り付けて、ベルトの一部を切断して追加ベルトを溶着して伸長を行うことが可能な延伸ベルトコンベアを使用する。この延伸ベルトコンベアをトンネル３内部に設置する。さらにベルトをトンネル３の坑口端から地上に導出し、地上部分には、ベルトに追加ベルトを溶着して延長するカセット部６を配置する。このカセット部６においてベルトを水平に複数段に折り返す。かつこのカセット部６を、作業台を兼ねる架台８の上に設置して構成する。【選択図】図１
2010254459.tif 000002
【特許請求の範囲】
【請求項１】
無端ベルトの一部を切断して追加ベルトを溶着して延伸可能なベルトコンベア装置であって、
トンネル坑内に位置するベルトコンベア本体と、
前記トンネル坑内の掘削機に接続する前記ベルトコンベア本体の先端接続部と、
前記ベルトコンベア本体のトンネル坑口側に位置し無端ベルトを導き出す取り出し部と、
導き出された前記無端ベルトを前記トンネルから離れたトンネル坑外のカセット部へ導く案内部と、
前記案内部を通って導かれた前記無端ベルトを収納する前記カセット部と、
前記カセット部を載せる架台とからなる、
延伸ベルトコンベア装置。
【発明の詳細な説明】
【技術分野】
【０００１】
本発明は、延伸ベルトコンベア装置に関するものである。
【背景技術】
【０００２】
従来から延伸ベルトコンベアが開発され利用されている。
この延伸ベルトコンベアは、一端を切羽の手前に設置し、尾端を坑口付近に設置し、先端部に破砕物を搭載して坑口まで搬送する装置である。
この延伸ベルトコンベアを使用すれば、トンネルの掘削したズリを搬出するのにダンプトラックを必要としないから、坑内の環境、安全の面で利点が大きい。
しかし切羽は日ごとに前進してゆくから、延伸ベルトコンベアでは、エンドレスのベルトの一部を後端部のカセットに収納しておき、必要に応じて順次延長する構成を採用している。
延伸するベルトはベルトカセット部に例えば３００ｍ分を収納してあり、延伸長が１５０ｍ毎にベルトを１箇所切断し、新たに３００ｍのベルトを追加して、次の段の延伸を行うものである。
【先行技術文献】
【特許文献】
【０００３】
【特許文献１】特開平１１−２１０３８２号公報。
【発明の概要】
【発明が解決しようとする課題】
【０００４】
前記したような従来の延伸ベルトコンベアにあっては、次のような問題点がある。
＜１＞  ベルトの延伸を行うカセットが坑内に設置されている。そのためにカセットベルトを切断して新たに延長コンベアを継ぎ足す作業を狭い坑内で行わなければならず、作業効率が低下する。
＜２＞  カセットを狭い坑内に配置するために、大型のカセットを利用することができず、小型のもの、すなわち巻き取り量の短いものとなり、長距離のトンネルではその延長の回数が増加して不経済である。
＜３＞  カセットが空間的に制約の多い坑内に配置してあるから、施工の障害となりやすい。
＜４＞  カセットの巻き取り量が小さいために、カセットに新規のベルトを収納するたびに時間を要し、高速掘進に適しているとは言えない。
【課題を解決するための手段】
【０００５】
上記のような課題を解決する本発明の延伸ベルトコンベア装置は、無端ベルトの一部を切断して追加ベルトを溶着して延伸可能なベルトコンベア装置であって、トンネル坑内に位置するベルトコンベア本体と、前記トンネル坑内の掘削機に接続する前記ベルトコンベア本体の先端接続部と、前記ベルトコンベア本体のトンネル坑口側に位置し無端ベルトを導き出す取り出し部と、導き出された前記無端ベルトを前記トンネルから離れたトンネル坑外のカセット部へ導く案内部と、前記案内部を通って導かれた前記無端ベルトを収納する前記カセット部と、前記カセット部を載せる架台とからなることを特徴としたものである。
【発明の効果】
【０００６】
本発明の延伸ベルトコンベア装置は以上説明したようになるから次のような効果を得ることができる。
＜１＞  一度の巻き取り量が増えるので、カセットへベルトをセットする回数を減らすことができ、能率的である。
＜２＞  カセットを架台の上に設置したので、架台がベルトの溶着作業台ともなり、効率のよい作業を行うことができ、作業時間を短縮することができる。
＜３＞  架台に事前にベルトをセットしておくことができ、セット時間を短縮することができる。
＜４＞  ベルトの延伸作業を狭い坑内で行うのではなく、広く安全な作業場所を選択できるから、安全である。
＜５＞  ベルトの延伸作業場所が坑内ではないから、坑内での他の作業、たとえば床版工事、連絡工工事などに関係なく延伸作業を行うことができる。
＜６＞  点検やトラブルのあった場合に、揚重機械を利用することができ、迅速な対応が可能であって、作業時間への影響を減らすことができる。
【図面の簡単な説明】
【０００７】
【図１】本発明の延伸ベルトコンベア装置の実施例の説明図
【発明を実施するための形態】
【０００８】
以下図面を参照にしながら本発明の延伸ベルトコンベア装置の好適な実施の形態を詳細に説明する。
【実施例】
【０００９】
＜１＞延伸ベルトコンベア。
本願発明に使用する延伸ベルトコンベアの基本構造は公知の装置である。
すなわち、無端ベルトを枠体に取り付けたプーリーで折り返して構成し、そのベルトの一部を切断して追加ベルトを溶着して伸長を行うことが可能な延伸ベルトコンベアである。
【００１０】
＜２＞ベルトコンベアの配置。
具体的には、この延伸ベルトコンベアのベルトコンベア本体１をトンネル３坑内に配置する。
そのベルトコンベア本体１の先端の先端接続部１４は、先端のテールピースをスクリューコンベア２などに取り付ける。
このスクリューコンベア２は、シールド掘進機４と一体で移動するコンベアである。
一方、このベルトコンベア本体１のシールドトンネル３の坑口側には、ベルトを駆動するドライブ部１１のプーリーを設け、ベルトを折り返すことで、運ばれてきたベルト上のズリを落下させて放出する。
こうして掘進によって生じたズリはベルトコンベア本体１のベルト上に積み込まれて、立坑位置まで運搬される。
【００１１】
＜３＞取り出し部。
このベルトコンベア本体１のベルトは、ドライブ部１１で折り返し、ベルトコンベア本体１の先端側に戻すが、戻る途中のドライブ部１１付近には坑外５のカセット部６へ導き出すため、ベルトの取り出し部１２を設ける。
この取り出し部１２では、ベルトコンベア本体１に備わっているベンドプーリーによってベルトの向きを変えることができる。
またベルトは無端ベルトであるので、カセット部６からの戻りベルトは、この取り出し部１２で向きを変えられ、ベルトコンベア本体１の先端側に戻される。
このように取り出し部１２では、ベルトをベルトコンベア本体１から出し入れする機能を備えている。
【００１２】
＜４＞案内部。
延伸ベルトコンベアのベルトは、取り出し部１２からさらに延伸して、トンネル３の坑外５の離れた位置に設置したカセット部６まで導く。
また、導かれたベルトは、カセット部６を通ってベルトコンベア本体１の取り出し部１２へ導く。
この部分が案内部１３であり、立坑７の内部や立坑７の上部に配置した複数のプーリーやシーブで構成し、折り返して地上までの導出と、地上からの導出との機能を果たす。
【００１３】
＜５＞カセット部。
本発明のカセット部６は特に地上の坑外５に設置する。
そのために上記したように、取り出し部１２以降のベルトを立坑７内に配置し、立坑７に沿って地上まで導出する。
そしてカセット部６において複数のプーリーを介してベルトを複数回、折り返してベルトを貯留しておく。
そしてカセット部６内のプーリーの間にはカセットジャッキ６１を配置する。
このカセットジャッキ６１を最大に伸長してプーリー間を押し広げベルトにテンションをかけてある。
その他のカセット部６の構造は、公知のものと同様である。
【００１４】
＜６＞カセットの作動。
シールド掘進機４は、シールドジャッキ４１の伸長によってセグメントに反力を取って前進する。
すると、延伸ベルトコンベアのベルトコンベア本体１の先端の先端接続部１４が一体となって前進する。
このシールド掘進機４の引張力は、カセットジャッキ６１の力より大きい。
そこでシールド掘進機４の前進にしたがって、カセットジャッキ６１が短縮してゆき、それだけベルトに余裕を生じて送り出すことができる。
カセットジャッキ６１が最小限まで短縮したら、ベルトの一か所を切断してカセットジャッキ６１を最大に伸長する。
その分だけ新たなベルトを継ぎ足して、以降は同様の作動を繰り返す。
【００１５】
＜７＞架台。
このようにベルトを折り返して複数段に重ねたカセット部６を、地上に配置した架台８の上に設置する。
この架台８はカセット部６を支持するだけでなく、ベルトの溶着作業用の作業台を兼ねた構成とする。
その結果、ベルトの巻き取り作業を広い専用のステージで行うことができるので、効率のよい作業を、安全に行うことができる。
また、架台８のステージにベルトを事前にセットしておくことで、セット時間を短縮することができる。
以上のように、延伸ベルトコンベアのベルト巻き取り量を増やし、かつ巻き取り作業の効率を上げたので、トンネル３の掘進を効率よく行うことが可能となる。
【符号の説明】
【００１６】
１：ベルトコンベア本体
１１：ドライブ部
１２：取り出し部
１３：案内部
２：スクリューコンベア
３：シールドトンネル
４：シールド機
６：カセット部
８：架台
【図１】
2010254459.tif 000003